(57)【特許請求の範囲】
【請求項１】
メッシュ状の張り材により覆われた椅子の着座体のフレームに、オプション部材を、軸状固定手段をもって取付ける取付構造であって、前記張り材における前記オプション部材の取付部に、メッシュの網目の粗さが他の部分よりも粗い低密度部を形成し、この低密度部の網目より、前記軸状固定手段を挿通して前記フレームに止着することにより、前記オプション部材を、前記張り材を挟み込んでフレームに取付けたことを特徴とする椅子の着座体へのオプション部材取付構造。
【請求項２】
低密度部をオプション部材により覆うとともに、このオプション部材により強圧して、フレームに圧接してなる請求項１記載の椅子の着座体へのオプション部材取付構造。
【発明の詳細な説明】
【技術分野】
【０００１】
本発明は、張り材により覆われた背凭れまたは座等の着座体に、オプション部材を取付けてなる椅子の着座体へのオプション部材取付構造に関する。
【背景技術】
【０００２】
本願の出願人は、背フレーム(背枠)にメッシュ状の張り材を張設して形成された背凭れに、オプション部材であるハンガーを取付けたハンガー付き椅子を案出し、先に特許出願している(例えば特許文献１参照)。
【特許文献１】特開２００６−１１００１３号公報
【発明の開示】
【発明が解決しようとする課題】
【０００３】
上記特許文献に記載されているように、張り材が張設された背凭れにオプション部材を取付ける際には、張り材が張設されていない部分にオプション部材を取付けるのが一般的である。
これは、メッシュ状の張り材が張設された背フレームに、オプション部材を、ねじ等により固定しようとすると、張り材に、ねじ等の挿通孔を開口しなければならないが、このような挿通孔を張り材に開口すると、張り材に張力が加わった際に、開口した部分がほつれるなどして、張り材が破れ易くなるからである。
【０００４】
本発明は、上記問題に鑑みてなされたもので、張り材に、ねじ等の軸状固定手段を挿通する挿通孔を開口することなく、オプション部材を取付け可能とし、張り材が破断するのを防止しうるようにした、椅子の着座体へのオプション部材取付構造を提供することを目的としている。
【課題を解決するための手段】
【０００５】
本発明によると、上記課題は、次のようにして解決される。
（１）メッシュ状の張り材により覆われた椅子の着座体のフレームに、オプション部材を、軸状固定手段をもって取付ける取付構造であって、前記張り材における前記オプション部材の取付部に、メッシュの網目の粗さが他の部分よりも粗い低密度部を形成し、この低密度部の網目より、前記軸状固定手段を挿通して前記フレームに止着することにより、前記オプション部材を、前記張り材を挟み込んでフレームに取付ける。
【０００６】
（２）上記(１)項において、低密度部をオプション部材により覆うとともに、このオプション部材により強圧して、フレームに圧接する。
【発明の効果】
【０００７】
上記(１)項に記載の発明によれば、張り材におけるオプション部材の取付部に、メッシュの網目の粗さが他の部分よりも粗い低密度部を形成し、この低密度部の網目より、軸状固定手段を挿通して着座体のフレームに止着しているので、張り材のオプション部材取付部に、ねじ等の軸状固定手段を挿通するための挿通孔を開口する必要がなく、開口した部分がほつれるなどして、張り材が破断するという恐れはない。
また、張り材におけるオプション部材取付部の編み方または織り方を粗くするだけで、低密度部を簡単に形成しうるとともに、その部分の任意の網目を通して、軸状固定手段を容易に挿通することができる。
【０００８】
上記(２)項に記載の発明によれば、張り材の引張強度等が小さくなる低密度部を、オプション部材により強圧してフレームに固定してあるので、その部分に張力が作用することはなく、従って、低密度部を起点として張り材が破断するという恐れがない。また、低密度部はオプション部材により覆われ、外部に露呈しないので、体裁がよい。
【発明を実施するための最良の形態】
【０００９】
以下、本発明の実施形態を、図面に基づいて説明する。
図１は、本発明を適用した椅子の正面図、図２は、同じく側面図で、椅子１は、先端にキャスタ２が取付けられた放射方向を向く５本の脚杆３からなる脚体４と、その中心に立設され、内部に収容されたガススプリング(図示略)により伸縮可能とされた脚柱５と、脚柱５の上端に固着された支基６と、支基６の上部に取付けられた座７と、支基６の両側部に前端が枢着された、側面視前向きＬ字状をなす左右１対の背杆８と、両背杆８の上部に下端部が取付けられ、支基６の後端と背杆８の後部との間に介設されたガススプリング９の付勢力に抗して後傾させうる背凭れ１０とを備えている。なお、上記座７と背凭れ１０とにより、着座体を構成している。
【００１０】
背凭れ１０は、図３に示すような合成樹脂製の背フレーム１１と、その下端を除く全面を覆う袋状の張り材１２とを備えている。
【００１１】
背フレーム１１は、下半部の左右方向を向く板状の基部フレーム１３と、その両側端部の上端より上方に延出する正面視下向コ字状の枠状フレーム１４と、この枠状フレーム１４の上端部の対向面同士を連結している横フレーム１５とからなり、全体が硬質合成樹脂により一体成形されている。
【００１２】
背フレーム１１は、座者の腰部付近、すなわち上下方向の中央部よりもやや下方の中間部が、側面視において前方に突出するように、ほぼく字状に折曲され、かつ全体が、後向き凸円弧状に緩やかに湾曲されている。
【００１３】
張り材１２は、高張力で伸縮性を有する合成繊維、例えばポリアミド繊維やポリプロピレン繊維等をメッシュ状に編むか、または織るなどして、下端が開口する袋状に形成され、後記するオプション部材を横フレーム１５に装着する前において、背フレーム１１に上方より被せ、下端部を基部フレーム１３の下端にタッキング等により固定することにより、張り材１２は、適度の張力が付与されるようにして、背フレーム１１全体に張設される。
【００１４】
図３〜図５に示すように、横フレーム１５の左右方向の中央部には、オプション部材が、次のようにして取付けられている。なお、オプション部材は、例えば上記特許文献１に記載されているようなハンガーまたは銘板等であるが、本実施形態では、銘板の取付例について説明する。
【００１５】
横フレーム１５の左右方向の中央部には、前後方向を向く左右２個の取付孔１６、１６と、それらの間に、取付孔１６よりも若干小径の係合孔１７とが穿設されている。横フレーム１５の前面中央には、上下寸法が横フレーム１８のそれとほぼ同等の左右方向を向く取付板１８が、その後面に突設された、横フレーム１５の板厚とほぼ等しい突出寸法の左右１対の後向突部１９、１９を、張り材１２を張設する前に前方より嵌合することにより、仮止めされている。
【００１６】
図４に示すように、取付板１８を仮止めし、背フレーム１１に張り材１２を張設した後、張り材１２を挟み込むようにして、横フレーム１５の後面に、取付板１８とほぼ同じ大きさの左右方向を向く基板２０aと、その後面を覆う、後面に文字等が印字されたカバー板２０bとからなる銘板２０が、次のようにして取付けられる。
【００１７】
張り材１２における銘板２０が取付けられる部分、すなわち、横フレーム１５の左右方向の中央部は、メッシュの網目の粗さが他の部分よりも粗い低密度部２１とされ、この低密度部２１の網目を通して、基板２０a取付用のねじ２２が挿通しうるようにしてある。なお、低密度部２１の形成領域は、基板２０aにより隠蔽されるように、その大きさと同等、もしくは若干小さくしてある。
【００１８】
基板２０aの両側部に穿設された通孔２３、２３に後方より挿入したねじ２２、２２を、低密度部２１の網目と、横フレーム１５の取付孔１６、１６とに挿通し、取付板１８の左右の後向突部１９、１９に設けた、後方に開口するめねじ孔２４、２４に螺合させて締め付けることにより、取付板１８と基板２０aとが、横フレーム１５の前後の面に強固に固定される。この際、低密度部２１が基板２０aにより覆われるとともに、基板２０aにより横フレーム１５の後面に強圧されて強固に固定される。
【００１９】
基板２０aを取付けた後、その中央部に設けた通孔２５に、カバー板２０bの前面の中央部に前向き突設した軸状の係合突部２６を挿通し、低密度部２１の網目を通して、横フレーム１５の係合孔１７に圧嵌させれば、基板２０aの後面にカバー板２０bが止着され、オプション部材である銘板２０の取付けが完了する。
【００２０】
以上説明したように、上記実施形態においては、横フレーム１５の後面を覆っている張り材１２における銘板２０の取付部を、メッシュの網目の粗い低密度部２１とし、この低密度部２１の網目を通して、基板２０a取付用のねじ２２や、カバー板２０b止着用の係合突部２６を挿通しうるようにしてあるため、張り材１２のオプション部材取付部に、ねじ２２等の挿通孔を開口する必要がなく、開口した部分がほつれるなどして、張り材１２が破れるという恐れはない。
また、張り材１２の引張強度等が小さくなる低密度部２１は、基板２０aにより押圧されて、横フレーム１５に強固に固定されているので、その部分に張力が作用することはなく、従って、低密度部２１を起点として張り材１２が破断するという恐れもない。しかも、低密度部２１は外部に露呈しないので、体裁がよい。
【００２１】
なお、上記実施形態では、張り材１２における銘板２０の取付部の領域に、この銘板２０により覆いうる大きさの低密度部２１を形成しているが、張り材１２におけるねじ２２及び係合突部２６の挿通部のメッシュの網目を大とし、この網目を通して、ねじ２２及び係合突部２６を挿通させるようにしてもよい。
【００２２】
また、上記実施形態では、背凭れ１０に、オプション部材である銘板２０を取付けた例を示しているが、座７の座フレーム(図示略)を張り材により覆い、座フレームに、肘掛け等のオプション部材を取付ける際にも、本発明を適用することができる。
【図面の簡単な説明】
【００２３】
【図１】本発明の一実施形態を適用した椅子の正面図である。
【図２】同じく、側面図である。
【図３】同じく、背フレームと、それに取り付けられる銘板の分解斜視図である。
【図４】同じく、張り材が張設された背フレームと、それに取り付けられる銘板の分解斜視図である。
【図５】図２のV-V線拡大横断端面図である。
【符号の説明】
【００２４】
１    椅子
２    キャスタ
３    脚杆
４    脚体
５    脚柱
６    支基
７    座(着座体)
８    背杆
９    ガススプリング
１０  背凭れ(着座体)
１１  背フレーム
１２  張り材
１３  基部フレーム
１４  枠状フレーム
１５  横フレーム
１６  取付孔
１７  係合孔
１８  取付板
１９  後向突部
２０  銘板(オプション部材)
２０a 基板
２０b カバー板
２１  低密度部
２２  ねじ(軸状固定手段)
２３  通孔
２４  めねじ孔
２５  通孔
２６  係合突部(軸状固定手段)
【図１】
0005254626.tif 000002
【図２】
0005254626.tif 000003
【図３】
0005254626.tif 000004
【図４】
0005254626.tif 000005
【図５】
0005254626.tif 000006